(57)【特許請求の範囲】
【請求項１】
ユーザが操作するユーザ端末と、前記ユーザ端末にユーザが記入可能なウェブアンケートを送信してその後に電子クーポンに係るデータを送信するウェブアンケートサーバと、店舗に設置され前記電子クーポンを読み取る機能を有する店舗用端末とが、ネットワークを介して相互に接続されて構成されるウェブアンケートシステムであって、
前記ユーザ端末が、前記ウェブページを表示する表示手段と、表示された前記ウェブページに対して操作入力を行う入力手段と、前記ウェブページを前記表示手段に表示させると共に前記ウェブページに対して行われた操作入力の内容を前記ウェブアンケートサーバに送信するウェブブラウザ部とを有し、
前記店舗用端末が、前記電子クーポンの内容を読み取るクーポン読取手段と、前記電子クーポンに含まれるユーザ特定情報に対応するユーザ嗜好情報を前記ウェブアンケートサーバに照会するユーザ嗜好照会部と、前記ユーザ特定情報に対応して前記ウェブアンケートサーバから得られた前記ユーザ嗜好情報を表示するユーザ情報表示部とを備え、
前記ウェブアンケートサーバが、
前記ユーザ端末から送られて来る前記ウェブアンケートに対する前記操作入力の内容を受信すると共に集計してユーザ嗜好情報を得るウェブアンケート部と、
前記ユーザ嗜好情報を前記ユーザ特定情報と共に予め備えられた回答データ記憶部に保存するデータ管理部と、
前記ユーザ特定情報を含む前記電子クーポンを前記ユーザ端末に送信するクーポン表示部とを備え、
前記データ管理部が、前記店舗用端末からの前記照会に反応して、前記ユーザ特定情報に対応する前記ユーザ嗜好情報を前記回答データ記憶部から検索してこれを前記店舗用端末に返信することを特徴とするウェブアンケートシステム。
【請求項２】
前記ウェブアンケートサーバの前記ウェブアンケート部が、
各ユーザを一意に特定できる情報を前記ユーザ特定情報として発行するユーザ特定情報発行機能と、
前記ウェブアンケートサーバに予め保持されているアンケート基本情報に基づいた内容でかつ前記ユーザ特定情報を含む前記ウェブアンケートを前記ユーザ端末に対して送信する機能を実行するアンケート内容生成機能と、
前記ウェブアンケートに対して行われた前記操作入力の内容を集計して前記ユーザ嗜好情報を得る機能を実行する回答内容集計機能とを備えることを特徴とする、請求項１に記載のウェブアンケートシステム。
【請求項３】
前記電子クーポンが、前記ウェブアンケートサーバに予め保持されているサービス基本情報と前記ユーザ特定情報とを含んでいることを特徴とする、請求項１に記載のウェブアンケートシステム。
【請求項４】
前記電子クーポンが、二次元バーコードまたは非接触式ＩＣカードのいずれか一つによるものであることを特徴とする、請求項１に記載のウェブアンケートシステム。
【請求項５】
ユーザが操作するユーザ端末、および店舗に設置され前記ユーザ端末に表示された電子クーポンを読み取る機能を有する店舗用端末とネットワークを介して相互に接続されてウェブアンケートシステムを構成する、前記ユーザ端末にユーザが記入可能なウェブアンケートを送信してその後に電子クーポンに係るデータを送信するウェブアンケートサーバであって、
前記ユーザ端末から送られて来る前記ウェブアンケートに対する操作入力の内容を受信すると共に集計してユーザ嗜好情報を得るウェブアンケート部と、
前記ユーザ嗜好情報を前記ウェブアンケート部が発行したユーザ特定情報と共に予め備えられた回答データ記憶部に保存するデータ管理部と、
前記ユーザ特定情報を含む前記電子クーポンを前記ユーザ端末に送信するクーポン表示部とを備え、
前記データ管理部が、前記店舗用端末からの前記照会に反応して、前記電子クーポンに含まれる前記ユーザ特定情報に対応する前記ユーザ嗜好情報を前記回答データ記憶部から検索してこれを前記店舗用端末に返信することを特徴とするウェブアンケートサーバ。
【請求項６】
ユーザが操作するユーザ端末と、前記ユーザ端末にユーザが記入可能なウェブアンケートを送信してその後に電子クーポンに係るデータを送信するウェブアンケートサーバと、店舗に設置され前記電子クーポンを読み取る機能を有する店舗用端末とが、ネットワークを介して相互に接続されて構成されるウェブアンケートシステムにあって、
前記ユーザ端末が前記ウェブアンケートサーバに対してアクセス要求し、
このアクセス要求に反応して前記ウェブアンケートサーバのウェブアンケート部が前記ウェブアンケートを前記ユーザ端末に対して送信し、
前記ユーザ端末のウェブブラウザ部が受信した前記ウェブアンケートを表示し、
前記ウェブアンケートに対するユーザの操作入力を前記ユーザ端末の前記ウェブブラウザ部が前記ウェブアンケートサーバに返信し、
前記ユーザ端末からの前記ウェブアンケートに対する回答を前記ウェブアンケートサーバの前記ウェブアンケート部が受信すると共に集計してユーザ嗜好情報を得て、
前記ユーザ嗜好情報をユーザ特定情報と共に前記ウェブアンケートサーバのデータ管理部が予め備えられた回答データ記憶部に保存し、
前記ユーザ特定情報を含む前記電子クーポンを前記ウェブアンケートサーバのクーポン表示部が前記ユーザ端末に対して送信し、
前記ユーザ端末の前記ウェブブラウザ部が受信した前記電子クーポンを表示し、
表示された前記電子クーポンを前記店舗用端末のクーポン読取手段が読み取り、
前記電子クーポンに含まれる前記ユーザ特定情報に対応する前記ユーザ嗜好情報を前記店舗用端末のユーザ嗜好照会部が前記ウェブアンケートサーバに照会し、
照会された前記ユーザ特定情報に対応する前記ユーザ嗜好情報を前記ウェブアンケートサーバの前記データ管理部が前記回答データ記憶部から検索して前記店舗用端末に返信し、
返信された前記ユーザ嗜好情報を前記店舗用端末のユーザ情報表示部が表示する
ことを特徴とする電子クーポン提供方法。
【請求項７】
ユーザが操作するユーザ端末にユーザが記入可能なウェブアンケートを送信してその後に電子クーポンに係るデータを送信するウェブアンケートサーバ、および店舗に設置され前記電子クーポンを読み取る機能を有する店舗用端末とが、ネットワークを介して相互に接続されて構成されるウェブアンケートシステムにあって、
前記ウェブアンケートサーバが備えるコンピュータに、
前記ユーザ端末からのアクセス要求に反応して前記ウェブアンケートを前記ユーザ端末に対して送信する手順、
前記ユーザ端末からの前記ウェブアンケートに対する回答を受信すると共に集計してユーザ嗜好情報を得る手順、
前記ユーザ嗜好情報を予め発行したユーザ特定情報と共に予め備えられた回答データ記憶部に保存する手順、
前記ユーザ特定情報を含む前記電子クーポンを前記ユーザ端末に対して送信する手順、
および前記店舗用端末から照会された前記電子クーポンに含まれる前記ユーザ特定情報に対応する前記ユーザ嗜好情報を前記回答データ記憶部から検索して前記店舗用端末に返信する手順
を実行させることを特徴とする電子クーポン提供プログラム。
【請求項８】
ユーザが操作するユーザ端末、および前記ユーザ端末にユーザが記入可能なウェブアンケートを送信してその後に電子クーポンに係るデータを送信するウェブアンケートサーバと、ネットワークを介して相互に接続されてウェブアンケートシステムを構成する、店舗に設置され前記電子クーポンを読み取る機能を有する店舗用端末であって、
前記ユーザ端末に表示された前記電子クーポンの内容を読み取るクーポン読取手段と、
前記電子クーポンに含まれるユーザ特定情報に対応するユーザ嗜好情報を前記ウェブアンケートサーバに照会するユーザ嗜好照会部と、
前記ユーザ特定情報に対応して前記ウェブアンケートサーバによって検索および返信されてきた前記ユーザ嗜好情報を表示するユーザ情報表示部とを備えることを特徴とする店舗用端末。
【請求項９】
ユーザが操作するユーザ端末と、前記ユーザ端末にユーザが記入可能なウェブアンケートを送信してその後に電子クーポンに係るデータを送信するウェブアンケートサーバと、店舗に設置され前記電子クーポンを読み取る機能を有する店舗用端末とが、ネットワークを介して相互に接続されて構成されるウェブアンケートシステムにあって、
前記ユーザ端末からのアクセス要求に反応して前記ウェブアンケートサーバのウェブアンケート部が前記ウェブアンケートを前記ユーザ端末に対して送信し、
前記ユーザ端末からの前記ウェブアンケートに対する回答を前記ウェブアンケートサーバの前記ウェブアンケート部が受信すると共に集計してユーザ嗜好情報を得て、
前記ユーザ嗜好情報を予め発行したユーザ特定情報と共に前記ウェブアンケートサーバのデータ管理部が予め備えられた回答データ記憶部に保存し、
前記電子クーポンに含まれる前記ユーザ特定情報を含む前記電子クーポンを前記ウェブアンケートサーバのクーポン表示部が前記ユーザ端末に対して送信し、
前記店舗用端末から照会された前記電子クーポンに含まれる前記ユーザ特定情報に対応する前記ユーザ嗜好情報を前記ウェブアンケートサーバの前記データ管理部が前記回答データ記憶部から検索して前記店舗用端末に返信する
ことを特徴とする電子クーポン提供方法。
【発明の詳細な説明】
【技術分野】
【０００１】
本発明はウェブアンケートシステム、ウェブアンケートサーバ、電子クーポン提供方法とそのプログラムに関し、特にユーザの個人的な嗜好についての情報に基づいてサービスの質を向上させることを可能とするウェブアンケートシステム等に関する。
【背景技術】
【０００２】
ネットワーク環境、特に携帯電話端末によるモバイル環境がごく当たり前のものとなった現代では、これらの環境をマーケティングの媒体として利用することもごく当たり前に行われている。
【０００３】
その中でも特によく行われているのが、ユーザに携帯電話端末用ウェブサイトを利用して会員組織に入会させ、その対価として電子クーポン（以後、単にクーポンという）を当該ウェブサイトを経由してそのユーザに配布するということである。ユーザはこのクーポンによって利用代金の割引などのような特典を受けることができ、サービス提供側の企業は入会手続きの際にこのユーザ個人についての情報を得てマーケティングに利用できるデータとすることができ、さらにこのユーザをより忠誠度の高い顧客として囲い込むことが可能となる。
【０００４】
これに関連する技術文献としては、次の各々がある。その中でも特許文献１には、サービス供給者側からの複数のオファーをユーザが好みに応じて選択でき、供給者側にとっては意図した通りの集客効果が得られるという販売促進物供給システムが記載されている。同文献記載のシステムでは、ユーザ固有の属性情報を目視で判別できないように販売促進物に書き込み、これを供給者側で読み取れば複数のオファー内容が表示され、その中からユーザが選択してサービスを受けることができる。
【０００５】
他には、特許文献２には、クーポンに応じてユーザが必要とする内容の広告だけを配信するという広告配信システムが記載されている。特許文献３には、クーポンに個人のデータを暗号化して含めるという顧客情報管理システムが記載されている。特許文献４には、モバイル情報端末を利用して、会員がサービスごとに異なるクーポンを携帯する必要をなくすというモバイル会員カードサービスシステムが記載されている。
【０００６】
特許文献５には、ユーザの最近のコンテンツ閲覧履歴から、ユーザの嗜好に関する情報を収集してクーポン情報に付加することができるというクーポン情報出力装置が記載されている。特許文献６には、ユーザ側にインターネット接続環境がない場合にも回収率を高めることが可能であるというアンケート回収システムが記載されている。
【先行技術文献】
【特許文献】
【０００７】
【特許文献１】特開２００２−１０９３４８号公報
【特許文献２】特開２００２−０４１９３２号公報
【特許文献３】特開２００２−１３３２４８号公報
【特許文献４】特開２００４−２７２５００号公報
【特許文献５】特開２００９−０５９１１４号公報
【特許文献６】特開２００９−２８２８８６号公報
【発明の概要】
【発明が解決しようとする課題】
【０００８】
しかしながら、前述のような会員組織には、たとえ無料で入会できるものであっても、またクーポンを利用したいと思っていても、入会時に住所、氏名、電子メールアドレスなどのような個人情報を入力しなければならないということに抵抗感を覚えて、結局入会しないユーザもいる。特に忠誠度のそれほど高くないユーザに、その傾向が強い。
【０００９】
逆に、個人情報を入力させず、特定のＵＲＬ（Uniform Resource Locator）にアクセスしさえすれば誰でもクーポンを得られるものとした場合には、このクーポンを目当てに多少の集客力の向上は期待できる。しかしながら、集客力の向上の効果は一時的にしか得られない。さらに、サービス提供側がクーポンに対応するユーザ個人についての情報を得ることはできない。
【００１０】
そして、サービス提供側としては、そのクーポンを利用するユーザ個人についての情報が無いから、そのユーザの個人的な嗜好に対応したサービスを提供することができない。たとえば回転寿司なら、当該ユーザの好む寿司ネタについての情報があれば、それに該当する寿司ネタを多めにベルトコンベアに流すなどのようなリアルタイムなサービスを提供することができるが、従来のクーポンによるマーケティングではこのようなユーザの個人的な嗜好についての情報を得ることができないので、これに対応するサービスを提供することができない。
【００１１】
特許文献１に記載の技術では、ユーザの嗜好に関する情報をサービス提供者が当該システムとは別個に収集して、これに応じて提供するオファー内容を決定して登録する必要があるので、上記の問題を解決することはできない。また特許文献２〜６に記載の技術も、ユーザの嗜好に関する情報を個々のユーザに対応する形で収集するものではないので、これらの技術を全て組み合わせても上記の問題を解決することはできない。
【００１２】
本発明の目的は、個人情報の入力に抵抗を覚えるユーザからも個人的な嗜好についての情報を得てサービスの質を向上させることを可能とするウェブアンケートシステム、ウェブアンケートサーバ、電子クーポン提供方法とそのプログラムを提供することにある。
【課題を解決するための手段】
【００１３】
上記目的を達成するため、本発明に係るウェブアンケートシステムは、ユーザが操作するユーザ端末と、ユーザ端末にユーザが記入可能なウェブアンケートを送信してその後に電子クーポンに係るデータを送信するウェブアンケートサーバと、店舗に設置され電子クーポンを読み取る機能を有する店舗用端末とが、ネットワークを介して相互に接続されて構成されるウェブアンケートシステムであって、ユーザ端末が、ウェブページを表示する表示手段と、表示されたウェブページに対して操作入力を行う入力手段と、ウェブページを表示手段に表示させると共にウェブページに対して行われた操作入力の内容をウェブアンケートサーバに送信するウェブブラウザ部とを有し、店舗用端末が、電子クーポンの内容を読み取るクーポン読取手段と、電子クーポンに含まれるユーザ特定情報に対応するユーザ嗜好情報をウェブアンケートサーバに照会するユーザ嗜好照会部と、ユーザ特定情報に対応してウェブアンケートサーバから得られたユーザ嗜好情報を表示するユーザ情報表示部とを備え、ウェブアンケートサーバが、ユーザ端末から送られて来るウェブアンケートに対する操作入力の内容を受信すると共に集計してユーザ嗜好情報を得るウェブアンケート部と、ユーザ嗜好情報をユーザ特定情報と共に予め備えられた回答データ記憶部に保存するデータ管理部と、ユーザ特定情報を含む電子クーポンをユーザ端末に送信するクーポン表示部とを備え、データ管理部が、店舗用端末からの照会に反応して、ユーザ特定情報に対応するユーザ嗜好情報を回答データ記憶部から検索してこれを店舗用端末に返信することを特徴とする。
【００１４】
上記目的を達成するため、本発明に係るウェブアンケートサーバは、ユーザが操作するユーザ端末、および店舗に設置されユーザ端末に表示された電子クーポンを読み取る機能を有する店舗用端末とネットワークを介して相互に接続されてウェブアンケートシステムを構成する、ユーザ端末にユーザが記入可能なウェブアンケートを送信してその後に電子クーポンに係るデータを送信するウェブアンケートサーバであって、ユーザ端末から送られて来るウェブアンケートに対する操作入力の内容を受信すると共に集計してユーザ嗜好情報を得るウェブアンケート部と、ユーザ嗜好情報をウェブアンケート部が発行したユーザ特定情報と共に予め備えられた回答データ記憶部に保存するデータ管理部と、ユーザ特定情報を含む電子クーポンをユーザ端末に送信するクーポン表示部とを備え、データ管理部が、店舗用端末からの照会に反応して、電子クーポンに含まれるユーザ特定情報に対応するユーザ嗜好情報を回答データ記憶部から検索してこれを店舗用端末に返信することを特徴とする。
【００１５】
上記目的を達成するため、本発明に係る電子クーポン提供方法は、ユーザが操作するユーザ端末と、ユーザ端末にユーザが記入可能なウェブアンケートを送信してその後に電子クーポンに係るデータを送信するウェブアンケートサーバと、店舗に設置され電子クーポンを読み取る機能を有する店舗用端末とが、ネットワークを介して相互に接続されて構成されるウェブアンケートシステムにあって、ユーザ端末がウェブアンケートサーバに対してアクセス要求し、このアクセス要求に反応してウェブアンケートサーバのウェブアンケート部がウェブアンケートをユーザ端末に対して送信し、ユーザ端末のウェブブラウザ部が受信したウェブアンケートを表示し、ウェブアンケートに対するユーザの操作入力をユーザ端末のウェブブラウザ部がウェブアンケートサーバに返信し、ユーザ端末からのウェブアンケートに対する回答をウェブアンケートサーバのウェブアンケート部が受信すると共に集計してユーザ嗜好情報を得て、ユーザ嗜好情報をユーザ特定情報と共にウェブアンケートサーバのデータ管理部が予め備えられた回答データ記憶部に保存し、ユーザ特定情報を含む電子クーポンをウェブアンケートサーバのクーポン表示部がユーザ端末に対して送信し、ユーザ端末のウェブブラウザ部が受信した電子クーポンを表示し、表示された電子クーポンを店舗用端末のクーポン読取手段が読み取り、電子クーポンに含まれるユーザ特定情報に対応するユーザ嗜好情報を店舗用端末のユーザ嗜好照会部がウェブアンケートサーバに照会し、照会されたユーザ特定情報に対応するユーザ嗜好情報をウェブアンケートサーバのデータ管理部が回答データ記憶部から検索して店舗用端末に返信し、返信されたユーザ嗜好情報を店舗用端末のユーザ情報表示部が表示することを特徴とする。
【００１６】
上記目的を達成するため、本発明に係る電子クーポン提供プログラムは、ユーザが操作するユーザ端末と、ユーザ端末にユーザが記入可能なウェブアンケートを送信してその後に電子クーポンに係るデータを送信するウェブアンケートサーバと、店舗に設置され電子クーポンを読み取る機能を有する店舗用端末とが、ネットワークを介して相互に接続されて構成されるウェブアンケートシステムにあって、ウェブアンケートサーバが備えるコンピュータに、ユーザ端末からのアクセス要求に反応してウェブアンケートをユーザ端末に対して送信する手順、ユーザ端末からのウェブアンケートに対する回答を受信すると共に集計してユーザ嗜好情報を得る手順、ユーザ嗜好情報を予め発行したユーザ特定情報と共に予め備えられた回答データ記憶部に保存する手順、ユーザ特定情報を含む電子クーポンをユーザ端末に対して送信する手順、および店舗用端末から照会された電子クーポンに含まれるユーザ特定情報に対応するユーザ嗜好情報を回答データ記憶部から検索して店舗用端末に返信する手順を実行させることを特徴とする。
また、店舗用端末単独の構成、およびウェブアンケートサーバ単独の動作についても特許となりうる。
【発明の効果】
【００１７】
本発明は、上述したようにウェブアンケートサーバがユーザから受信したウェブアンケートに対する回答を集計したユーザ嗜好情報を得て、これをユーザ特定情報と共に回答データ記憶部に保存するように構成したので、照会に応じてユーザ特定情報に対応するユーザ嗜好情報を店舗用端末に返信することができる。
【００１８】
これによって、個人情報の入力に抵抗を覚えるユーザからも個人的な嗜好についての情報を得てサービスの質を向上させることが可能であるウェブアンケートシステム、ウェブアンケートサーバ、電子クーポン提供方法とそのプログラムを提供することができる。
【図面の簡単な説明】
【００１９】
【図１】本発明の実施形態に係るウェブアンケートシステム構成について示す説明図である。
【図２】図１に示したウェブアンケートサーバの構成をより詳しく示した説明図である。
【図３】図１に示したウェブアンケートシステムで、ユーザ端末の表示手段上にウェブブラウザが表示してユーザが入力手段を介して回答するウェブアンケート画面の一例を示す説明図である。
【図４】図１に示した回答データ記憶部に記憶されるデータの一例を示す説明図である。
【図５】図３に示したアンケート画面に対してユーザが回答した後でユーザ端末の表示手段上にウェブブラウザ部が表示するクーポンの一例を示す説明図である。
【図６】図１に示したウェブアンケートシステムでの処理の流れを示すフローチャートである。
【図７】図６のステップＳ３１５でクーポン内容表示装置上に表示されるユーザ嗜好情報の一例である。
【発明を実施するための形態】
【００２０】
（第１の実施形態）
以下、本発明の第１の実施形態の構成について添付図１〜２に基づいて説明する。
最初に、本実施形態の基本的な内容について説明し、その後でより具体的な内容について説明する。
本実施形態に係るウェブアンケートシステム１は、ユーザが操作するユーザ端末１０と、ユーザ端末にユーザが記入可能なウェブアンケートを送信してその後に電子クーポンに係るデータを送信するウェブアンケートサーバ２０と、店舗に設置され電子クーポンを読み取る機能を有する店舗用端末３０とがネットワークを介して相互に接続されて構成されるウェブアンケートシステムである。
ユーザ端末１０は、ウェブページを表示する表示手段１５と、表示されたウェブページに対して操作入力を行う入力手段１４と、ウェブページを表示手段に表示させると共にウェブページに対して行われた操作入力の内容をウェブアンケートサーバに送信するウェブブラウザ部１６とを有する。
店舗用端末３０は、電子クーポンの内容を読み取るクーポン読取手段３４と、電子クーポンに含まれるユーザ特定情報に対応するユーザ嗜好情報をウェブアンケートサーバに照会するユーザ嗜好照会部２１０と、ユーザ特定情報に対応してウェブアンケートサーバから得られたユーザ嗜好情報を表示するユーザ情報表示部２２０とを備える。
そして、ウェブアンケートサーバ２０は、ユーザ端末から送られて来るウェブアンケートに対する操作入力の内容を受信すると共に集計してユーザ嗜好情報を得るウェブアンケート部１１０と、ユーザ嗜好情報をユーザ特定情報と共に予め備えられた回答データ記憶部に保存するデータ管理部１３０と、ユーザ特定情報を含む電子クーポンをユーザ端末に送信するクーポン表示部１２０とを備える。
そして、データ管理部１３０が、店舗用端末からの照会に反応して、ユーザ特定情報に対応するユーザ嗜好情報を回答データ記憶部から検索してこれを店舗用端末に返信する。
【００２１】
ここで、ウェブアンケートサーバ２０のウェブアンケート部１１０は、各ユーザを一意に特定できる情報をユーザ特定情報として発行するユーザ特定情報発行機能１１１と、ウェブアンケートサーバに予め保持されているアンケート基本情報に基づいた内容でかつユーザ特定情報を含むウェブアンケートをユーザ端末に対して送信する機能を実行するアンケート内容生成機能１１２と、ウェブアンケートに対して行われた操作入力の内容を集計してユーザ嗜好情報を得る機能を実行する１１３とを備える。
【００２２】
そして、電子クーポンが、ウェブアンケートサーバに予め保持されているサービス基本情報１４２とユーザ特定情報とを含んでいる。さらに、この電子クーポンは、二次元バーコードによるものである。
【００２３】
この構成を備えることによって、ウェブアンケートシステム１はユーザから個人的な嗜好についての情報を得て、これによってサービスの質を向上させることが可能なものとなる。
以下、これをより詳細に説明する。
【００２４】
図１は、本発明の実施形態に係るウェブアンケートシステム１の構成について示す説明図である。ウェブアンケートシステム１は、ユーザが操作するユーザ端末１０と、ウェブアンケートサーバ２０と、店舗に設置される店舗用端末３０とがネットワーク４０を介して相互に接続されて構成される。
【００２５】
ユーザ端末１０は、基本的なコンピュータとしての構成を備える。即ち、ユーザ端末１０は、コンピュータプログラムを実行する主体となる主演算制御手段（ＣＰＵ: Micro Processing Unit）１１と、データを記憶する記憶手段１２と、ネットワーク４０に接続して他のコンピュータとのデータ通信を行う通信手段１３と、ユーザからの操作を受け付ける入力手段１４と、主演算制御手段１１による処理結果をユーザに表示する表示手段１５とを備える。
【００２６】
たとえばユーザ端末１０が可搬式でないパーソナルコンピュータである場合は、表示手段１５はこのパーソナルコンピュータに接続されたディスプレイおよびプリンタである。また、ユーザ端末１０が携帯電話端末、スマートフォン、電子ブック端末などのような可搬式の端末である場合は、表示手段１５はこの可搬式端末に内蔵されたディスプレイである。
【００２７】
主演算制御手段１１では、ウェブアンケートサーバ２０との情報交換を行うウェブブラウザ部１６が、コンピュータプログラムとして実行されるように構成されている。即ち、ウェブブラウザ部１６は、ウェブアンケートサーバ２０から受信したウェブページ表示用のデータによって表示手段１５上にウェブページを表示し、そのウェブページに対するユーザの操作内容を入力手段１４を介して取得してウェブアンケートサーバ２０に送信する。
【００２８】
図２は、図１に示したウェブアンケートサーバ２０の構成をより詳しく示した説明図である。ウェブアンケートサーバ２０もまた、一般的なコンピュータ装置であり、コンピュータプログラムを実行する主体となる主演算制御手段（ＣＰＵ）２１と、データを記憶する記憶手段２２と、ネットワーク４０を介して他のコンピュータとのデータ通信を行う通信手段２３とを備える。
【００２９】
主演算制御手段２１では、ウェブサーバ部１００、ウェブアンケート部１１０、クーポン表示部１２０、およびデータ管理部１３０が、その各々の内容をコンピュータプログラムとして実行されるように構成されている。ウェブサーバ部１００は、ユーザ端末１０のウェブブラウザ部１６にウェブページを表示させるためのデータをユーザ端末１０に送信し、そのウェブページに対するユーザの操作内容をユーザ端末１０から受信する。
【００３０】
ウェブアンケート部１１０は、ウェブサーバ部１００にウェブアンケートの内容を渡してユーザ端末１０のウェブブラウザ部１６に送信させ、それに対するユーザの操作をウェブサーバ部１００から受信してこれをウェブアンケートに対する当該ユーザからの回答とし、その内容をクーポン表示部１２０およびデータ管理部１３０に渡す。
【００３１】
ウェブアンケート部１１０は、主演算制御手段２１上で、ユーザ特定情報発行機能１１１、アンケート内容生成機能１１２、および回答内容集計機能１１３として機能する。ユーザ特定情報発行機能１１１は、後述のユーザ特定情報１５１を発行する。このユーザ特定情報１５１が、アンケートページおよびクーポンに含まれ、さらに回答データ記憶部１４０にも保存される。
【００３２】
アンケート内容生成機能１１２は、アンケート基本情報１４１を元にしてアンケートページに表示される質問内容を生成する。そして回答内容集計機能１１３は、このアンケートページに対してユーザが回答した内容を集計して、データベースに保存可能な形式のユーザ嗜好情報１５２とする。
【００３３】
クーポン表示部１２０は、ウェブアンケート部１１０から渡されたウェブアンケートに対する当該ユーザからの回答内容に応じて店舗で利用可能なクーポンの内容をウェブサーバ部１００に渡してユーザ端末１０のウェブブラウザ部１６に送信させる。クーポン表示部１２０は、ユーザ特定情報発行機能１１１が発行したユーザ特定情報１５１とサービス基本情報１４２とからクーポンを生成するクーポン生成機能１２１を含む。
【００３４】
データ管理部１３０は、大量のデータを管理できるデータベースであり、ウェブアンケート部１１０から渡されたウェブアンケートに対する当該ユーザからの回答内容を回答データ記憶部１４０に保存する。データ管理部１３０はさらに、回答内容集計機能１１３が集計したユーザ嗜好情報１５２をユーザ特定情報１５１と共に回答データ記憶部１４０に保存するデータ記録機能１３１と、店舗用端末３０から照会されたユーザ特定情報１５１に対応するユーザ嗜好情報１５２を回答データ記憶部１４０から抽出するデータ照会機能１３２とを備える。
【００３５】
また、主演算制御手段２１には、回答データ記憶部１４０を記憶領域とし、これとは別にアンケート基本情報１４１とサービス基本情報１４２とがあらかじめ記憶されている記憶手段２２が併設されている。
【００３６】
図１に示した店舗用端末３０は、店舗に設置されるコンピュータ装置であり、ＰＯＳシステム（Point Of Sales system、販売時点管理システム）の端末装置等と兼用するものであってもよい。
【００３７】
店舗用端末３０は、一般的なコンピュータ装置と同じく、コンピュータプログラムを実行する主体となる主演算制御手段（ＣＰＵ）３１と、データを記憶する記憶手段３２と、ネットワーク４０を介して他のコンピュータとのデータ通信を行う通信手段３３と、さらにユーザ端末１０の表示手段１５に表示されたクーポンの内容を読み取るクーポン読取手段３４と、読み取ったクーポンの内容を表示するクーポン内容表示手段３５とを備える。
【００３８】
主演算制御手段３１では、クーポン読取手段３４を介してユーザ端末１０の表示手段１５に表示されたクーポンの内容を読み取るクーポン読取部２００と、読み取ったクーポンの内容に対応するユーザ嗜好情報１５２をウェブアンケートサーバ２０に照会して取得するユーザ嗜好照会部２１０と、読み取ったクーポンに含まれるサービス基本情報１４２と取得したユーザ嗜好情報１５２とをクーポン内容表示装置３５上に表示するユーザ情報表示部２２０とが、コンピュータプログラムとして実行されるように構成されている。
【００３９】
図３は、図１に示したウェブアンケートシステム１で、ユーザ端末１０の表示手段１５上にウェブブラウザ１６が表示してユーザが入力手段１４を介して回答するウェブアンケート画面１６１の一例を示す説明図である。
【００４０】
このウェブアンケート画面１６１でユーザに対して質問する内容は、主にユーザ個人の嗜好に関するものである。ユーザ個人のプライバシーに関わる内容は、性別と年齢などのような程度にとどめる。住所・氏名・電子メールアドレスなどのような重大な個人情報は、ウェブアンケート画面１６１での質問内容には含まれない。このようにすることによって、個人情報を開示することに対する抵抗感をなくして、ユーザが気軽に回答できるようにする。
【００４１】
ウェブアンケート画面１６１には、ユーザ特定情報発行機能１１１が発行したユーザ特定情報１５１が埋め込まれている。ユーザ特定情報１５１は、図３には説明のために図示しているが、実際にはユーザの目には見えない。これに対するユーザが回答を入力すると、その回答の内容と共にユーザ特定情報１５１もウェブアンケートサーバ２０に送信される。回答の内容については、回答内容集計機能１１３がこれを受信および集計して、ユーザ嗜好情報１５２とする。そして、データ管理部１３０のデータ記録機能１３１が、ユーザ特定情報１５１とユーザ嗜好情報１５２とを対応づけて、回答データ記憶部１４０に保存する。
【００４２】
図４は、図１に示した回答データ記憶部１４０に記憶されるデータの一例を示す説明図である。回答データ記憶部１４０には、ユーザ特定情報１５１とユーザ嗜好情報１５２とが１対１で対応づけられて記憶される。ユーザ特定情報１５１は、ウェブアンケートサーバ２０内で各ユーザを特定できる情報であれば、たとえばシリアルナンバーなどのような形式でよい。ユーザ嗜好情報１５２は、ウェブアンケート画面１６１に対してユーザが回答した内容についての情報、もしくはそれに対して何らかの統計学的処理を施した情報である。データベースに記憶可能な内容であれば、その具体的な処理方法や記憶形式については特に制限されない。
【００４３】
図５は、図３に示したアンケート画面１６１に対してユーザが回答した後でユーザ端末１０の表示手段１５上にウェブブラウザ部１６が表示するクーポン１６２の一例を示す説明図である。このクーポンは、たとえばＱＲコード（登録商標）などのようにユーザが読み取り装置などを利用せずに読み取ることが困難な形式で、サービス基本情報１４２、即ちこのクーポンによってユーザが受けることのできるサービスの内容（対象品目、割引価格、利用可能店舗、有効期限など）についての情報、そしてユーザ特定情報１５１を含む。
【００４４】
このクーポンは、ユーザの肉眼では読み取り困難ではあるが、そこに含まれたサービス基本情報１４２はクーポン読取手段３４およびクーポン読取部２００を介してユーザ情報表示部２２０がクーポン内容表示装置３５上に表示可能である。クーポン内容表示装置３５上には、これと同時に、ユーザ嗜好照会部２１０がユーザ特定情報１５１をウェブアンケートサーバ２０に送信してこれに対応してウェブアンケートサーバ２０から返送されてきたユーザ嗜好情報１５２も、ユーザ情報表示部２２０によって店員が確認可能なように表示される。
【００４５】
図６は、図１に示したウェブアンケートシステム１での処理の流れを示すフローチャートである。まずユーザが、ユーザ端末１０でウェブブラウザ部１６を起動して操作し、ウェブアンケートサーバ２０にアクセス要求する（ステップＳ３０１）。
【００４６】
ウェブアンケートサーバ２０はこれに反応して、まずウェブアンケート部１１０ではユーザ特定情報発行機能１１１がユーザ特定情報１５１を発行し（ステップＳ３０２）、続いてアンケート内容生成機能１１２がアンケート基本情報１４１とユーザ特定情報１５１とからウェブアンケート画面１６１を生成する（ステップＳ３０３）。そして、このウェブアンケート画面１６１を、ウェブサーバ部１００を介してユーザ端末１０のウェブブラウザ１６に送信して表示させる（ステップＳ３０４）。
【００４７】
ユーザ端末１０では、ウェブブラウザ部１６が受信したウェブアンケート画面１６１を表示して（ステップＳ３０５）、これに対してユーザが回答し、その回答をウェブアンケートサーバ２０に返信する（ステップＳ３０６）。この返信には、ユーザ特定情報１５１と集計される前のユーザ嗜好情報１５２が含まれる。
【００４８】
ウェブアンケート部１１０では回答内容集計機能１１３がこれを受信し、返信に含まれる内容を集計して、データベースに保存可能な形式のユーザ嗜好情報１５２としてデータ管理部１３０に渡す（ステップＳ３０７）。そして、データ管理部１３０ではデータ記録機能１３１が、回答内容集計機能１１３から受信したユーザ特定情報１５１とユーザ嗜好情報１５２とを対応させて回答データ記憶部１４０に保存する（ステップＳ３０８）。
【００４９】
そして回答内容集計機能１１３は、ステップＳ３０７〜３０８と並行して、ユーザ特定情報１５１をクーポン表示部１２０のクーポン生成機能１２１に渡す。クーポン生成機能１２１は、ユーザ特定情報１５１とサービス基本情報１４２とを含むクーポン１６２を生成して、ウェブサーバ部１００を介してユーザ端末１０のウェブブラウザ１６に送信して表示させる（ステップＳ３０９）。
【００５０】
このクーポン１６２を入手したユーザは、ユーザ端末１０のウェブブラウザ１６に当該クーポン１６２を表示させる（ステップＳ３１０）。ユーザ端末１０が可搬式でないパーソナルコンピュータである場合には、当該クーポン１６２を表示したウェブページをプリンタで印刷して、これを店舗に持参して店員に見せる。ユーザ端末１０が可搬式端末である場合には、クーポン１６２を表示させた当該端末をそのまま店舗に持参して、店員に見せる。
【００５１】
これを見た店員は、店舗用端末３０のクーポン読取手段３４でこれを読み取る（ステップＳ３１１）。クーポン読取部２００にクーポン１６２の情報が入力されたことに反応したユーザ嗜好照会部２１０は、クーポン１６２に含まれるユーザ特定情報１５１をウェブアンケートサーバ２０に送信して、これに対応するユーザ嗜好情報１５２を照会する（ステップＳ３１２）。
【００５２】
ウェブアンケートサーバ２０では、データ管理部１３０のデータ照会機能１３２が、回答データ記憶部１４０からユーザ特定情報１５１に対応するユーザ嗜好情報１５２を検索し（ステップＳ３１３）、これを店舗用端末３０に返信する（ステップＳ３１４）。店舗用端末３０ではユーザ情報表示部２２０が、クーポン１６２に含まれるサービス基本情報１４２と取得したユーザ嗜好情報１５２とを、クーポン内容表示装置３５上に表示する（ステップＳ３１５）。
【００５３】
図７は、図６のステップＳ３１５でクーポン内容表示装置３５上に表示されるユーザ嗜好情報１５２の一例である。店舗では、表示されたこのユーザ嗜好情報１５２に基づいて、たとえば回転寿司では当該ユーザの好む寿司ネタを多めにベルトコンベアに流すなどのように、リアルタイムなサービスを提供することができる。これは当該ユーザにとっては店舗への好印象のきっかけになるので、利用頻度および客単価の向上につながる。加えて、店舗にとっては廃棄数の減少にもなるので、利益向上と環境保護の両方に貢献することとなる。
【００５４】
（第１の実施形態の全体的な動作）
次に、上記の実施形態の全体的な動作について説明する。本実施形態に係る電子クーポン提供方法は、ユーザが操作するユーザ端末と、ユーザ端末にユーザが記入可能なウェブアンケートを送信してその後に電子クーポンに係るデータを送信するウェブアンケートサーバと、店舗に設置され電子クーポンを読み取る機能を有する店舗用端末とが、ネットワークを介して相互に接続されて構成されるウェブアンケートシステムにあって、ユーザ端末がウェブアンケートサーバに対してアクセス要求し（図６・ステップＳ３０１）、このアクセス要求に反応してウェブアンケートサーバのウェブアンケート部がウェブアンケートをユーザ端末に対して送信し（図６・ステップＳ３０４）、ユーザ端末のウェブブラウザ部が受信したウェブアンケートを表示し（図６・ステップＳ３０５）、ウェブアンケートに対するユーザの操作入力をユーザ端末のウェブブラウザ部がウェブアンケートサーバに返信し（図６・ステップＳ３０６）、ユーザ端末からのウェブアンケートに対する回答をウェブアンケートサーバのウェブアンケート部が受信すると共に集計してユーザ嗜好情報を得て（図６・ステップＳ３０７）、ユーザ嗜好情報をユーザ特定情報と共にウェブアンケートサーバのデータ管理部が予め備えられた回答データ記憶部に保存し（図６・ステップＳ３０８）、ユーザ特定情報を含む電子クーポンをウェブアンケートサーバのクーポン表示部がユーザ端末に対して送信し（図６・ステップＳ３０９）、ユーザ端末のウェブブラウザ部が受信した電子クーポンを表示し（図６・ステップＳ３１０）、表示された電子クーポンを店舗用端末のクーポン読取手段が読み取り（図６・ステップＳ３１１）、電子クーポンに含まれるユーザ特定情報に対応するユーザ嗜好情報を店舗用端末のユーザ嗜好照会部がウェブアンケートサーバに照会し（図６・ステップＳ３１２）、照会されたユーザ特定情報に対応するユーザ嗜好情報をウェブアンケートサーバのデータ管理部が回答データ記憶部から検索して店舗用端末に返信し（図６・ステップＳ３１３〜３１４）、返信されたユーザ嗜好情報を店舗用端末のユーザ情報表示部が表示する（図６・ステップＳ３１５）。
【００５５】
ここで、上記各動作ステップについては、これをコンピュータで実行可能にプログラム化し、これらを前記各ステップを直接実行するコンピュータであるユーザ端末１０、ウェブアンケートサーバ２０、および店舗用端末３０に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００５６】
本実施形態によれば、ユーザ特定情報をウェブアンケートサーバ内で生成し、これに基づいてユーザに対してウェブアンケートを行って、その結果をユーザ嗜好情報としてユーザ特定情報と共に回答データ記憶部に保存する。そして、ユーザ特定情報を含むクーポンをユーザに提供する。
【００５７】
このウェブアンケートは、ユーザの個人情報の開示を特に要求するものではない。そのため、個人情報の入力に抵抗を覚えるユーザからもユーザ嗜好情報を得ることができる。そして、店舗側装置からはクーポンに含まれたユーザ特定情報から、ウェブアンケートサーバにユーザ特定情報に対応づけられて記憶されているユーザ嗜好情報を照会して容易に得ることができるので、このユーザ嗜好情報によってサービスの質を向上させることができる。
【００５８】
（実施形態の拡張）
以上で説明した第１の実施形態は、その趣旨を改変しない範囲で様々な拡張が考えられる。クーポン１６２はＱＲコード（登録商標）などのような２次元バーコードに限らず、たとえばＦｅＬｉＣａ（登録商標）などのような非接触式ＩＣカードを利用するものでもよい。これも人間が読み取り装置などを利用せずにその記憶内容を判読することが不可能であるので、本発明の趣旨に適する。かつ、この非接触式ＩＣカードは、多くの携帯電話端末で標準的に備えられている機能を利用すれば実施可能である。
【００５９】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００６０】
上述した各々の実施形態について、その新規な技術内容の要点をまとめると、以下のようになる。なお、上記実施形態の一部または全部は、新規な技術として以下のようにまとめられるが、本発明は必ずしもこれに限定されるものではない。
【００６１】
（付記１）  ユーザが操作するユーザ端末と、前記ユーザ端末にウェブアンケートおよび電子クーポンをウェブページとして表示させるためのデータを送信するウェブアンケートサーバと、店舗に設置され前記電子クーポンを読み取る機能を有する店舗用端末とがネットワークを介して相互に接続されて構成されるウェブアンケートシステムであって、
前記ユーザ端末が、前記ウェブページを表示する表示手段と、表示された前記ウェブページに対して操作入力を行う入力手段と、前記ウェブページを前記表示手段に表示させると共に前記ウェブページに対して行われた操作入力の内容を前記ウェブアンケートサーバに送信するウェブブラウザ部とを有し、
前記店舗用端末が、前記電子クーポンの内容を読み取るクーポン読取手段と、前記電子クーポンに含まれるユーザ特定情報に対応するユーザ嗜好情報を前記ウェブアンケートサーバに照会するユーザ嗜好照会部と、前記ユーザ特定情報に対応して前記ウェブアンケートサーバから得られた前記ユーザ嗜好情報を表示するユーザ情報表示部とを備え、
前記ウェブアンケートサーバが、
前記ウェブアンケートを前記ユーザ端末に対して送信すると共に該ウェブアンケートに対して行われた前記操作入力の内容を前記ユーザ端末から受信および集計してユーザ嗜好情報を得るウェブアンケート部と、
前記ユーザ嗜好情報を前記ユーザ特定情報と共に予め備えられた回答データ記憶部に保存するデータ管理部と、
前記ユーザ特定情報を含む前記電子クーポンを前記ユーザ端末に送信するクーポン表示部とを備え、
前記データ管理部が前記店舗用端末からの前記照会に反応して、前記ユーザ特定情報に対応する前記ユーザ嗜好情報を前記回答データ記憶部から検索してこれを前記店舗用端末に返信することを特徴とするウェブアンケートシステム。
【００６２】
（付記２）  前記ウェブアンケートサーバの前記ウェブアンケート部が、
各ユーザを一意に特定できる情報を前記ユーザ特定情報として発行するユーザ特定情報発行機能と、
前記ウェブアンケートサーバに予め記憶されているアンケート基本情報に基づいた内容でかつ前記ユーザ特定情報を含む前記ウェブアンケートを前記ユーザ端末に対して送信するアンケート内容生成機能と、
前記ウェブアンケートに対して行われた前記操作入力の内容を集計して前記ユーザ嗜好情報を得る回答内容集計機能とを備えることを特徴とする、請求項１に記載のウェブアンケートシステム。
【００６３】
（付記３）  前記電子クーポンが、前記ウェブアンケートサーバに予め記憶されているサービス基本情報と前記ユーザ特定情報とを含んでいることを特徴とする、付記１に記載のウェブアンケートシステム。
【００６４】
（付記４）  前記電子クーポンが、二次元バーコードもしくは非接触式ＩＣカードによるものであることを特徴とする、付記１に記載のウェブアンケートシステム。
【００６５】
（付記５）  ユーザが操作するユーザ端末、および店舗に設置され前記ユーザ端末に表示された電子クーポンを読み取る機能を有する店舗用端末とネットワークを介して相互に接続されてウェブアンケートシステムを構成する、前記ユーザ端末にウェブアンケートおよび電子クーポンをウェブページとして表示させるためのデータを送信するウェブアンケートサーバであって、
前記ウェブアンケートを前記ユーザ端末に対して送信すると共に該ウェブアンケートに対して行われた前記操作入力の内容を前記ユーザ端末から受信および集計してユーザ嗜好情報を得るウェブアンケート部と、
前記ユーザ嗜好情報をユーザ特定情報と共に予め備えられた回答データ記憶部に保存するデータ管理部と、
前記ユーザ特定情報を含む前記電子クーポンをウェブページとして表示させるためのデータを前記ユーザ端末に対して送信するクーポン表示部とを備え、
前記データ管理部が前記店舗用端末からの照会に反応して、前記ユーザ特定情報に対応する前記ユーザ嗜好情報を前記回答データ記憶部から検索してこれを前記店舗用端末に返信することを特徴とするウェブアンケートサーバ。
【００６６】
（付記６）  ユーザが操作するユーザ端末と、前記ユーザ端末にウェブアンケートおよび電子クーポンをウェブページとして表示させるためのデータを送信するウェブアンケートサーバと、店舗に設置され前記電子クーポンを読み取る機能を有する店舗用端末とがネットワークを介して相互に接続されて構成されるウェブアンケートシステムにあって、
前記ユーザ端末が前記ウェブアンケートサーバに対してアクセス要求し、
このアクセス要求に反応して前記ウェブアンケートサーバのウェブアンケート部が前記ウェブアンケートを前記ユーザ端末に対して送信し、
前記ユーザ端末のウェブブラウザ部が受信した前記ウェブアンケートを表示し、
前記ウェブアンケートに対するユーザの操作入力を前記ユーザ端末の前記ウェブブラウザ部が前記ウェブアンケートサーバに返信し、
前記ウェブアンケートに対する回答を前記ウェブアンケートサーバの前記ウェブアンケート部が集計してユーザ嗜好情報を得て、
前記ユーザ嗜好情報をユーザ特定情報と共に前記ウェブアンケートサーバのデータ管理部が予め備えられた回答データ記憶部に保存し、
前記ユーザ特定情報を含む前記電子クーポンを前記ウェブアンケートサーバのクーポン表示部が前記ユーザ端末に対して送信し、
前記ユーザ端末の前記ウェブブラウザ部が受信した前記電子クーポンを表示し、
表示された前記電子クーポンを前記店舗用端末のクーポン読取手段が読み取り、
前記電子クーポンに含まれる前記ユーザ特定情報に対応する前記ユーザ嗜好情報を前記店舗用端末のユーザ嗜好照会部が前記ウェブアンケートサーバに照会し、
照会された前記ユーザ特定情報に対応する前記ユーザ嗜好情報を前記ウェブアンケートサーバの前記データ管理部が前記回答データ記憶部から検索して前記店舗用端末に返信し、
返信された前記ユーザ嗜好情報を前記店舗用端末のユーザ情報表示部が表示する
ことを特徴とする電子クーポン提供方法。
【００６７】
（付記７）  ユーザが操作するユーザ端末と、前記ユーザ端末にウェブアンケートおよび電子クーポンをウェブページとして表示させるためのデータを送信するウェブアンケートサーバと、店舗に設置され前記電子クーポンを読み取る機能を有する店舗用端末とがネットワークを介して相互に接続されて構成されるウェブアンケートシステムにあって、
前記ウェブアンケートサーバが備えるコンピュータに、
前記ユーザ端末からのアクセス要求に反応して前記ウェブアンケートを前記ユーザ端末に対して送信する手順、
前記ユーザ端末から受信した前記ウェブアンケートに対する回答を集計してユーザ嗜好情報を得る手順、
前記ユーザ嗜好情報をユーザ特定情報と共に予め備えられた回答データ記憶部に保存する手順、
前記ユーザ特定情報を含む前記電子クーポンを前記ユーザ端末に対して送信する手順、
および前記店舗用端末から照会された前記ユーザ特定情報に対応する前記ユーザ嗜好情報を前記回答データ記憶部から検索して前記店舗用端末に返信する手順
を実行させることを特徴とする電子クーポン提供プログラム。
【産業上の利用可能性】
【００６８】
本発明は、ウェブアンケートおよび電子クーポンを利用したマーケティングの用途に適用することができる。
【符号の説明】
【００６９】
１  ウェブアンケートシステム
１０  ユーザ端末
１１、２１、３１  主演算制御手段
１２、２２、３２  記憶手段
１３、２３、３３  通信手段
１４  入力手段
１５  表示手段
１６  ウェブブラウザ部
２０  ウェブアンケートサーバ
３０  店舗用端末
３４  クーポン読取手段
３５  クーポン内容表示手段
４０  ネットワーク
１００  ウェブサーバ部
１１０  ウェブアンケート部
１１１  ユーザ特定情報発行機能
１１２  アンケート内容生成機能
１１３  回答内容集計機能
１２０  クーポン表示部
１２１  クーポン生成機能
１３０  データ管理部
１３１  データ記録機能
１３２  データ照会機能
１４０  回答データ記憶部
１４１  アンケート基本情報
１４２  サービス基本情報
１５１  ユーザ特定情報
１５２  ユーザ嗜好情報
１６１  ウェブアンケート画面
１６２  クーポン
２００  クーポン読取部
２１０  ユーザ嗜好照会部
２２０  ユーザ情報表示部
【図１】
0005177913.tif 000002
【図２】
0005177913.tif 000003
【図３】
0005177913.tif 000004
【図４】
0005177913.tif 000005
【図５】
0005177913.tif 000006
【図６】
0005177913.tif 000007
【図７】
0005177913.tif 000008